(57)【要約】【課題】  光学的手段、特にスキャナを用いたコンテンツの不当な複製を防止する表示装置を提供する。【解決手段】  この表示装置は、複数のオブジェクトを同時に含むコンテンツを表示する表示手段２と、少なくとも１個の環境センサ（光量センサ、圧力センサ）３と、前記複数のオブジェクト各々に付随する所定の情報（コンテンツの複製の許諾可否に関するコンテンツの利用権情報）および前記環境センサ３からの信号に基づいて前記表示手段２に表示されるコンテンツ内のオブジェクトごとの可読／非可読の状態を制御する表示制御手段とを具備している。【選択図】  図１
2007079871.tif 000002
【特許請求の範囲】
【請求項１】
コンテンツを表示する表示手段と、環境センサと、該環境センサからの信号に基づいて前記表示手段に表示されるコンテンツの可読／非可読の状態を制御する表示制御手段とを具備することを特徴とする表示装置。
【請求項２】
コンテンツを表示する表示手段と、環境センサと、前記コンテンツに付随する所定の情報および前記環境センサからの信号に基づいて前記表示手段に表示されるコンテンツの可読／非可読の状態を制御する表示制御手段とを具備することを特徴とする表示装置。
【請求項３】
請求項２に記載の表示装置において、前記所定の情報は、コンテンツの複製の許諾可否に関するコンテンツの利用権情報であることを特徴とする表示装置。
【請求項４】
コンテンツを表示する表示手段と、環境センサと、前記コンテンツに付随するコンテンツの複製の許諾可否に関するコンテンツの利用権情報および前記環境センサからの信号に基づいて、少なくとも装置に固有の情報を前記表示手段に表示する表示制御手段とを具備することを特徴とする表示装置。
【請求項５】
請求項１乃至４のいずれか一項に記載の表示装置において、スピーカを具備し、コンテンツに付随するコンテンツの複製の許諾可否に関するコンテンツの利用権情報および前記環境センサからの信号に基づいて前記スピーカより警告音を発することを特徴とする表示装置。
【請求項６】
請求項１乃至５のいずれか一項に記載の表示装置において、前記利用権情報を表示する利用権情報表示手段を具備することを特徴とする表示装置。
【請求項７】
コンテンツを表示する表示手段と、環境センサと、該環境センサからの信号に基づいて前記表示手段を加振する加振手段とを具備することを特徴とする表示装置。
【請求項８】
コンテンツを表示する表示手段と、環境センサと、前記コンテンツに付随する所定の情報および前記環境センサからの信号に基づいて前記表示手段を加振する加振手段とを具備することを特徴とする表示装置。
【請求項９】
請求項１乃至８のいずれか一項に記載の表示装置において、複数の前記環境センサを具備することを特徴とする表示装置。
【請求項１０】
請求項１乃至９のいずれか一項に記載の表示装置において、前記環境センサは光量センサであることを特徴とする表示装置。
【請求項１１】
請求項１乃至９のいずれか一項に記載の表示装置において、前記環境センサは圧力センサであることを特徴とする表示装置。
【請求項１２】
請求項１０に記載の表示装置において、前記光量センサが前記表示手段裏面に配設され、前記表示手段表面から入射する光を検知することを特徴とする表示装置。
【請求項１３】
複数のオブジェクトを同時に含むコンテンツを表示する表示手段と、少なくとも１個の環境センサと、前記複数のオブジェクト各々に付随する所定の情報および前記環境センサからの信号に基づいて前記表示手段に表示されるコンテンツ内のオブジェクトごとの可読／非可読の状態を制御する表示制御手段とを具備することを特徴とする表示装置。
【請求項１４】
請求項１乃至１３のいずれか一項に記載の表示装置において、前記コンテンツが着脱可能な記録媒体に記録されていることを特徴とする表示装置。
【請求項１５】
請求項１乃至１４のいずれか一項に記載の表示装置において、前記コンテンツが書き換え可能な記録媒体に記録されることを特徴とする表示装置。
【発明の詳細な説明】
【技術分野】
【０００１】
本発明は、表示装置に関し、特に電子化された著作物を表示する携帯可能な表示装置に関し、スキャナ等の光学的手段によるコンテンツの不当な電子データ化を防止するデジタルコンテンツの表示装置に関する。
【背景技術】
【０００２】
液晶や、電子ペーパといった電子的なデバイスを用いたデジタルコンテンツ表示装置、いわゆる電子書籍表示装置の普及により、著作権にて保護されるべき小説や漫画といった著作物がソフトウエアと同様の電子的な形態で流通するようになってきた。このような著作権にて保護されるべきコンテンツの無断複製等の不正を防止する方法として、特許文献１に開示された方法がある。
特許文献１においては、電子的な暗号化を用いてコンテンツを表示可能な装置を限定することによりコンテンツの電子的な不正利用を防止する方法が開示されている。
【特許文献１】ＷＯ００／００２１７１
【発明の開示】
【発明が解決しようとする課題】
【０００３】
このような電子書籍表示装置は、反射型であり、高コントラストであるという紙と同等の光学的特性を有している場合が殆どである。
しかし、コンテンツを電子的に不当な複製から保護することは可能であっても、表示装置がまさにこのような紙と同等の光学的特性を有するが故に、スキャナや、これを用いた複写機等による光学的な読み取りが可能であり、容易に電子データ化されたり、紙に複写したりするといったことが可能である。
このような方法によって再び電子データ化されてしまうと、コンテンツの著作権を保護する機能を失ってしまい、著作権者および販売者が正当な利益を得ることが不可能となってしまう。
さらに、近年のインターネットの発達によって、ネットワーク上に流出した著作権保護機能を失ったコンテンツは、ほぼ無料で容易に大量に複製されてしまい、本来閲覧に相応の対価が必要であるはずの正当なコンテンツは存続し得なくなる。
また、著作権保護機能を剥奪されたコンテンツは容易に改ざんが可能であり、著作者が本来意図しない不本意なコンテンツが流通することも想定される。
本発明は、上述した実情を考慮してなされたものであって、光学的手段、特にスキャナを用いたコンテンツの不当な複製を防止する表示装置を提供することを目的とする。
【課題を解決するための手段】
【０００４】
上記の課題を解決するために、請求項１に記載の発明は、コンテンツを表示する表示手段と、環境センサと、該環境センサからの信号に基づいて前記表示手段に表示されるコンテンツの可読／非可読の状態を制御する表示制御手段とを具備することを特徴とする。
請求項２に記載の発明は、コンテンツを表示する表示手段と、環境センサと、コンテンツに付随する所定の情報および該環境センサからの信号に基づいて前記表示手段に表示されるコンテンツの可読／非可読の状態を制御する表示制御手段とを具備することを特徴とする。
請求項３に記載の発明は、請求項２に記載の表示装置において、前記所定の情報は、コンテンツの複製の許諾可否に関するコンテンツの利用権情報であることを特徴とする。
請求項４に記載の発明は、コンテンツを表示する表示手段と、環境センサと、コンテンツに付随するコンテンツの複製の許諾可否に関するコンテンツの利用権情報および該環境センサからの信号に基づいて、少なくとも装置に固有の情報を前記表示手段に表示する表示制御手段とを具備することを特徴とする。
請求項５に記載の発明は、請求項１乃至４のいずれか一項に記載の表示装置において、スピーカを具備し、コンテンツに付随するコンテンツの複製の許諾可否に関するコンテンツの利用権情報および前記環境センサからの信号に基づいて前記スピーカより警告音を発することを特徴とする。
請求項６に記載の発明は、請求項１乃至５のいずれか一項に記載の表示装置において、前記利用権情報を表示する利用権情報表示手段を具備することを特徴とする。
請求項７に記載の発明は、コンテンツを表示する表示手段と、環境センサと、該環境センサからの信号に基づいて表示手段を加振する加振手段とを具備することを特徴とする。
【０００５】
請求項８に記載の発明は、コンテンツを表示する表示手段と、環境センサと、コンテンツに付随する所定の情報および該環境センサからの信号に基づいて前記表示手段を加振する加振手段とを具備することを特徴とする。
請求項９に記載の発明は、請求項１乃至８のいずれか一項に記載の表示装置において、複数の前記環境センサを具備することを特徴とする。
請求項１０に記載の発明は、請求項１乃至９のいずれか一項に記載の表示装置において、前記環境センサは光量センサであることを特徴とする。
請求項１１に記載の発明は、請求項１乃至９のいずれか一項に記載の表示装置において、前記環境センサは圧力センサであることを特徴とする。
請求項１２に記載の発明は、請求項１０に記載の表示装置において、前記光量センサが前記表示手段裏面に配設され、前記表示手段表面から入射する光を検知することを特徴とする。
請求項１３に記載の発明は、複数のオブジェクトを同時に含むコンテンツを表示する表示手段と、少なくとも１個の環境センサと、前記複数のオブジェクト各々に付随する所定の情報および前記環境センサからの信号に基づいて前記表示手段に表示されるコンテンツ内のオブジェクトごとの可読／非可読の状態を制御する表示制御手段とを具備することを特徴とする。
請求項１４に記載の発明は、請求項１乃至１３のいずれか一項に記載の表示装置において、前記コンテンツが着脱可能な記録媒体に記録されていることを特徴とする。
請求項１５に記載の発明は、請求項１乃至１４のいずれか一項に記載の表示装置において、前記コンテンツが書き換え可能な記録媒体に記録されることを特徴とする。
【発明の効果】
【０００６】
本発明によれば、光学的手段、特にスキャナを用いたコンテンツの不当な複製を防止する表示装置を提供することが可能となる。
また、使用者に、警告を発したり、注意を促したりして、複製が許可されているか否かを知らしめたり、また、不安感を抱かせるようにして、コンテンツの不当な複製を防止する表示装置を提供することが可能となる。
また、コンテンツの不当な複製を行なった装置を特定することが可能となる。
【発明を実施するための最良の形態】
【０００７】
以下、図面を参照して本発明の実施形態を詳細に説明する。
＜実施形態１＞
図１乃至図６を用いて本発明の実施形態１に係る表示装置について説明する。
本実施形態１に係る表示装置１は、図１、図２に示すように、反射型液晶等の表示デバイスからなる表示手段２と、光量センサや圧力センサからなる環境センサ３から構成される。表示手段２としては、反射型液晶の他、マイクロカプセル型電気泳動方式による電子ペーパ（例えば、米国イー・インク社のE Ink電子ペーパ）が考えられる。
テキスト、図表、画像等から構成されるコンテンツは、内蔵されたＲＯＭ（Read Only Memory）または、ＲＡＭ（Random Access Memory）に記録されているか、または、図３に示すように外部記録媒体４に記録されていても良い。この外部記録媒体４としては、フレキシブルディスク、光ディスク、メモリカード等である。
コンテンツが外部記録媒体４に記録されている場合には、記録媒体挿入口５に挿入され、Ｉ／Ｏ（入出力）コントローラを介してＲＡＭに読み込まれる。
読み込まれたコンテンツデータは、ＶＲＡＭ（Video RAM）上にワークエリアを確保した表示制御手段により表示手段２上に表示される。
ここで、本表示装置１にコンテンツを表示したまま、フラットベッドスキャナ等を用いて、光学的にスキャンする場合を考えてみる。本表示装置１に表示されたコンテンツをフラットベッドスキャナにてスキャンする場合には、図４に示すように、表示装置１は透明のガラス等から構成される原稿台６に表示面を接する形で配置しなければならない。
通常のフラットベッドスキャナの原稿面輝度は非常に高輝度であるため、環境センサ３として光量センサを用いる場合には、図５に示すように、比較手段９はＲＯＭ等にあらかじめ記録してある所定の値と、光量センサ３の出力値とを比較し、光量センサ３の出力値の方が高い場合には、表示制御手段１０は表示手段２上の全画素の値をすべて０または他の値にし、コンテンツを非可読状態にする。
ここで、前記所定の値は、一般的なフラットベッドスキャナの原稿面照度（例えば、通常の事務用フラットベッドスキャナでおよそ５０００［ｌｘ］以上）に対する光量センサ３の出力値よりも小さな値でなければならない。
また、環境センサ３が圧力センサである場合には、圧力センサ３からの出力があった場合に、表示制御手段１０は表示手段２上の全画素の値をすべて０または他の値にし、コンテンツを非可読状態にする。
【０００８】
図６を用いて、本実施形態１の処理手順を説明する。
まず、表示装置１が起動されると、コンテンツデータ８が上述した記録媒体（ＲＯＭ、ＲＡＭ、フレキシブルディスク、光ディスク、メモリカード等）より、Ｉ／Ｏコントローラを介してＲＡＭに読み込まれる（ステップＳ１）。
次に、環境センサ３が光量センサである場合には、ＲＯＭ等にあらかじめ記録してある所定の値と、光量センサ３の出力値とを比較する（ステップＳ２）。
光量センサ３の出力値の方が高い場合には（ステップＳ２／ＮＧ）、表示制御手段１０は表示手段２上の全画素の値をすべて０または他の値にし、コンテンツを非可読状態にし（ステップＳ４）、ステップＳ２に戻って処理していない他のオブジェクトがなくなるまで光量センサ３の出力値を調べる。
一方、光量センサ３の出力値の方が低い場合には（ステップＳ２／ＯＫ）、表示制御手段１０は表示手段２上に可読状態でコンテンツを表示し（ステップＳ３）、ステップＳ２へ戻る。
また、環境センサ３が圧力センサである場合には、光量センサと同様にして、圧力センサ３からの出力があるか否かをチェックし、圧力センサ３からの出力があった場合に、表示制御手段は表示手段２上の全画素の値をすべて０または他の値にし、コンテンツを非可読状態にする。
【０００９】
また、図７の処理手順に示したように、ステップＳ４で表示を非可読状態した後、装置の駆動電源をＯＦＦにしてもよい（ステップＳ５）。
このようにすることによって、無駄な駆動電力の消費を無くすことが可能となり、省エネルギー効果も見込まれる。
上記した処理手順は、予め実行可能なプログラムとしてＲＯＭに記録されており、ＣＰＵ（中央演算処理装置）がＲＡＭ上にワークエリアを確保してプログラムを実行することにより実施される。
本実施形態１のような構成にすることにより、光学的手段、特にスキャナを用いたコンテンツの不当な複製を防止する表示装置を提供することが可能となる。
また、スキャンを検知した場合にコンテンツを非可読状態にするのではなく、図８に示すように装置に固有のＩＤ（識別情報）等、装置を特定可能な情報をコンテンツにオーバーラップして表示してもよい。
これにより、複製が許可されていないコンテンツに対して、光学的手段、特にスキャナを用いたコンテンツの不当な複製を行なった装置を特定することを可能とする。また、装置が特定可能であることによって、不当な光学的複製を行なおうとする使用者に不安感を抱かせることにより、コンテンツの不当な複製を防止することが可能となる。
【００１０】
＜実施形態２＞
図９は、本発明の実施形態２に係る表示装置の機能構成を示す図である。なお、上記実施形態と同じ要素には同じ符号を付して説明を省略する。
コンテンツデータ８は、複製の許諾可否に関する情報を構造化されたデータとして保持しており、利用権情報取得手段１１はコンテンツデータ８からこの情報を取得する。
また、比較手段９はＲＯＭ等にあらかじめ記録してある所定の値と、環境センサ３（光量センサ）の出力値とを比較する。光量センサ３の出力値の方が前記所定の値より高く、かつ、対象コンテンツが複製を許可されていない場合には、表示制御手段１０は表示手段２上の全画素の値をすべて０または他の値にし、コンテンツを非可読状態にする。
図１０を用いて、本実施形態２の処理手順を説明する。
まず、表示装置１が起動されると、コンテンツデータ８が上述した記録媒体（ＲＯＭ、ＲＡＭ、フレキシブルディスク、光ディスク、メモリカード等）より、Ｉ／Ｏコントローラを介してＲＡＭに読み込まれる（ステップＳ１１）。
次に、利用権情報取得手段１１によって、コンテンツの利用権、即ち、複製可否に関する情報を取得し、対象コンテンツが複製を許可されている場合には（ステップＳ１２／複製可）、コンテンツはそのまま表示される（ステップＳ１３）。
一方、対象コンテンツが複製を許可されていない場合には（ステップＳ１２／複製不可）、環境センサ３からの出力がチェックされる。
次に、環境センサ３が光量センサである場合には、ＲＯＭ等にあらかじめ記録してある所定の値と、光量センサ３の出力値とを比較する（ステップＳ１４）。
光量センサ３の出力値の方が高い場合には（ステップＳ１４／ＮＧ）、表示制御手段１０は表示手段２上の全画素の値をすべて０または他の値にし、コンテンツを非可読状態にし（ステップＳ１６）、ステップＳ１４に戻って処理していない他のオブジェクトがなくなるまで光量センサ３の出力値を調べる。
一方、光量センサ３の出力値の方が低い場合には（ステップＳ１４／ＯＫ）、表示制御手段１０は表示手段２上に可読状態でコンテンツを表示し（ステップＳ１５）、ステップＳ１４に戻る。
また、環境センサ３が圧力センサである場合には、光量センサと同様にして、圧力センサ３からの出力があるか否かをチェックし、圧力センサからの出力があった場合に、表示制御手段は表示手段上の全画素の値をすべて０または他の値にし、コンテンツを非可読状態にする。
【００１１】
また、図１１の処理手順に示したように、ステップＳ１６で表示を非可読状態した後、装置の駆動電源をＯＦＦにしてもよい（ステップＳ１７）。
このようにすることによって、無駄な駆動電力の消費を無くすことが可能となり、省エネルギー効果も見込まれる。
本実施形態２のような構成にすることにより、複製が許可されていないコンテンツに対してのみ、光学的手段、特にスキャナを用いたコンテンツの不当な複製を防止する表示装置を提供することが可能となる。
また、図１２のようにコンテンツが複数のオブジェクトから構成され、コンテンツデータがオブジェクト毎の複製の許諾可否に関する情報を構造化されたデータとして保持している場合には、利用権情報取得手段１１はコンテンツデータ８からオブジェクト毎の複製の許諾可否に関する情報を取得する。
また、比較手段９は、オブジェクト毎に、ＲＯＭ等に予め記録してある所定の値と、光量センサ３の出力値とを比較し、表示制御手段１０は複製が許可されていないオブジェクトについては非可読状態にする。
このような構成にすることにより、複数のオブジェクトを同時に含むコンテンツ内の必要なオブジェクトのみに対して、光学的手段、特にスキャナを用いたコンテンツの不当な複製を防止する表示装置を提供することが可能となる。
【００１２】
＜実施形態３＞
図１３を用いて本発明の実施形態３に係る表示装置について説明する。なお、上記実施形態と同じ要素には同じ符号を付して説明を省略する。
本実施形態３においては、環境センサ３は表示手段２の表示面近傍に複数個配設される。環境センサ３が１個しか配設されていない場合には、もし使用者が誤って環境センサ３に触れてしまった場合にコンテンツが非可読になってしまう等の誤動作が生じてしまう。
したがって、環境センサ３を複数個設け、環境センサ３のいずれか二つ以上が応答した場合に、表示制御手段１０は表示手段２上の全画素の値をすべて０または他の値にし、コンテンツを非可読状態にする。これにより誤動作を防止することが可能となる。
また、環境センサ３が特に光量センサである場合に環境センサ３が１カ所にしか配設されていないと、光量センサ３がスキャン方向に対してコンテンツ表示面より下手になるような原稿台６上の位置に表示装置１を置いた場合に、光量センサ３がスキャン光を検知した時点ではすでにコンテンツはスキャンされてしまっており、複製が許可されていないにも関わらず、光学的複製が作成されてしまう。
したがって、環境センサ３を複数個設けて、二つ以上で応答しない限りコンテンツを非可読状態にしないようにすることにより、誤動作を防止しながら、不当な光学的複製を防止することが可能となる。
＜実施形態４＞
図１４を用いて本発明の実施形態４に係る表示装置の構成を説明する。なお、上記実施形態と同じ要素には同じ符号を付して説明を省略する。
本実施形態４においては、図１４（Ａ）に示すように表示手段２の表示面には複数の微小開口１３が設けられている。また、図１４（Ｂ）は微小開口１３の近傍の断面図であり、光量センサ３は微小開口１３下部の表示手段２裏面にセンサ部を表示手段２表面に向けて配設される。
光量センサ３が図１４のように表示手段２の外枠部に配設される場合には、利用者が遮光性あるいは、減光性を有する紙、布、シール等のシート状の部材を用いて光量センサ３を遮光してしまったり、光量センサ３に入射する光を減光してしまったりすることによって、本発明が目的とする光学的複製防止機能を回避することが可能となってしまうが、本実施形態４のような構成にすると、光量センサ３に入射する光を遮光、減光することは、即ち、コンテンツを覆い隠すことになってしまうため、本発明が目的とする光学的複製防止機能を回避することを防止することが可能となる。
【００１３】
＜実施形態５＞
図１５および図１６を用いて本発明の実施形態５に係る表示装置の構成を説明する。なお、上記実施形態と同じ要素には同じ符号を付して説明を省略する。
本実施形態５においては、図１５に示すように、ＬＥＤ等からなる利用権情報表示手段１４を具備する。コンテンツデータは、複製の許諾可否に関する情報を構造化されたデータとして保持しており、利用権情報取得手段１１はコンテンツデータからこの情報を取得する。
対象コンテンツが複製を許可されていない場合には、利用権情報表示手段１４に表示（ここではＬＥＤを点灯）し、複製が許可されていないコンテンツを光学的手段、特にスキャナを用いて複製しようとする使用者に警告を発し、注意を促すようにした。
また、ＬＥＤを点灯する代わりに、図１６に示すように、表示手段２にコンテンツとともに利用権に関する情報、ここでは、「複製厳禁」という表示、を表示するようにしてもよい。
＜実施形態６＞
図１７を用いて本発明の実施形態６に係る表示装置の構成について説明する。なお、上記実施形態と同じ要素には同じ符号を付して説明を省略する。
本実施形態６においては、表示装置１はスピーカ１５を具備する。コンテンツデータは、複製の許諾可否に関する情報を構造化されたデータとして保持しており、利用権情報取得手段１１はコンテンツデータからこの情報を取得し、対象コンテンツが複製を許可されていない場合には、スピーカ１５から警告音を発するようにした。
このような構成にすることにより、複製が許可されていないコンテンツを光学的手段、特にスキャナを用いて複製しようとする使用者に警告を発し、注意を促す表示装置を提供することが可能となる。
【００１４】
＜実施形態７＞
図１８の表示装置の機能構成、および図１９の表示装置のハードウェア構成をもちいて、本発明の実施形態７に係る表示装置について説明する。なお、上記実施形態と同じ要素には同じ符号を付して説明を省略する。
加振制御手段１６は、比較手段９による光量センサ３の出力値と所定値との比較結果により、加振手段を制御し、これにより表示手段２を加振する。
このような構成にすることによって、表示手段２が振動するために、コンテンツが表示された状態でも、スキャナ等を用いて光学的スキャンを行なっても光学像はぶれてしまい、コンテンツを可読な状態でスキャンすることが不可能となり、光学的手段、特にスキャナを用いたコンテンツの不当な複製を防止する表示装置を提供することが可能となる。
＜実施形態８＞
図１６を用いて本発明の実施形態８に係る表示装置の機能構成を説明する。なお、上記実施形態と同じ要素には同じ符号を付して説明を省略する。
コンテンツデータ８は、複製の許諾可否に関する情報を構造化されたデータとして保持しており、利用権情報取得手段１１はコンテンツデータ８からこの情報を取得する。
加振制御手段１６は、利用権情報取得手段１１によるコンテンツデータの複製可否の判断結果、あるいは、比較手段９による光量センサ３の出力値と所定値との比較結果により、加振手段を制御し、これにより表示手段２を加振する。
このような構成にすることによって、表示手段が振動するために、コンテンツが表示された状態でも、スキャナ等を用いて光学的スキャンを行なっても光学像はぶれてしまい、コンテンツを可読な状態でスキャンすることが不可能となり、複製が許可されていないコンテンツに対してのみ、光学的手段、特にスキャナを用いたコンテンツの不当な複製を防止する表示装置を提供することが可能となる。
【図面の簡単な説明】
【００１５】
【図１】本発明の実施形態１に係る表示装置の構成図である。
【図２】実施形態１に係る表示装置のハードウェア構成を示すブロック図である。
【図３】外部記録媒体からコンテンツを読み取るときの説明図である。
【図４】実施形態１に係る表示装置を光学的手段に配置したときの図である。
【図５】実施形態１の機能構成の説明図である。
【図６】実施形態１の処理手順を示すフローチャートである。
【図７】実施形態１の他の処理手順を示すフローチャートである。
【図８】装置を特定可能な情報をコンテンツにオーバーラップして表示した例を示す図である。
【図９】実施形態２の機能構成の説明図である。
【図１０】実施形態２の処理手順を示すフローチャートである。
【図１１】実施形態２の他の処理手順を示すフローチャートである。
【図１２】複数の利用権を設定可能なオブジェクトをもつコンテンツの説明図である。
【図１３】実施形態３に係る表示装置の構成図である。
【図１４】実施形態４に係る表示装置の構成図である。
【図１５】実施形態５に係る表示装置の構成図である。
【図１６】実施形態５で表示手段に表示される利用権表示例を示す図である。
【図１７】実施形態６に係る表示装置の構成図である。
【図１８】実施形態７の機能構成の説明図である。
【図１９】実施形態７に係る表示装置のハードウェア構成を示すブロック図である。
【図２０】実施形態８の機能構成の説明図である。
【符号の説明】
【００１６】
１…表示装置、２…表示手段、３…環境センサ（光量センサ、圧力センサ）、４…外部記録媒体、５…記録媒体挿入口、６…原稿台、７…光源、８…コンテンツデータ、９…比較手段、１０…表示制御手段、１１…利用権情報取得手段、１３…微小開口、１４…利用権情報表示手段、１５…スピーカ、１６…加振制御手段。
【図１】
2007079871.tif 000003
【図２】
2007079871.tif 000004
【図３】
2007079871.tif 000005
【図４】
2007079871.tif 000006
【図５】
2007079871.tif 000007
【図６】
2007079871.tif 000008
【図７】
2007079871.tif 000009
【図８】
2007079871.tif 000010
【図９】
2007079871.tif 000011
【図１０】
2007079871.tif 000012
【図１１】
2007079871.tif 000013
【図１２】
2007079871.tif 000014
【図１３】
2007079871.tif 000015
【図１４】
2007079871.tif 000016
【図１５】
2007079871.tif 000017
【図１６】
2007079871.tif 000018
【図１７】
2007079871.tif 000019
【図１８】
2007079871.tif 000020
【図１９】
2007079871.tif 000021
【図２０】
2007079871.tif 000022